【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
チャージポンプと、
光信号をサンプルするサンプラーであって、ブラックサンプラーとビデオサンプラーとアナログデジタルコンバータ（ＡＤＣ）とを含む、前記サンプラーと、
ａ）前記チャージポンプに結合されるチャージポンプロジックと、ｂ）前記光信号をサンプルする前記サンプラーに結合されるサンプラーロジックとに結合され、それらにクロック信号を提供する、単一クロックと、
を含む装置であって、
前記単一クロックが少なくとも５つのクロック信号の生成を生じさせ、
前記少なくとも５つのクロック信号が、前記チャージポンプロジックから前記チャージポンプの第１のゲートへの第１のクロック信号と、前記チャージポンプロジックから前記チャージポンプの第２のゲートへの第２のクロック信号と、前記サンプラーロジックから前記ブラックサンプラーへのブラックサンプルクロック信号と、前記サンプラーロジックから前記ビデオサンプラーへのビデオサンプルクロック信号と、前記サンプラーロジックから前記ＡＤＣへのＡＤＣクロック信号とであり、
ｉ）前記第１のクロック信号が前記第２のクロック信号が立ち上がる前に３クロックサイクル立ち上がり、
ｉｉ）前記第２のクロック信号が１７クロックサイクルの間に高であり、
ｉｉｉ）前記第２のクロック信号が前記第１のクロックトレイン信号が立ち下がる前に５クロックサイクル立ち下がり、
ｉｖ）前記第１のクロック信号が１７クロックサイクルの間に低であり、その後立ち上がる、装置。
【請求項２】
請求項１に記載の装置であって、
前記単一クロックと前記チャージポンプロジックと前記チャージポンプと前記サンプラーロジックと前記光信号をサンプルする前記サンプラーとが、単一チップ内で統合され、共通電気的接地を共有する、装置。
【請求項３】
請求項１に記載の装置であって、
前記チャージポンプが電圧ダブラ（ｄｏｕｂｌｅｒ）である、装置。
【請求項４】
請求項１に記載の装置であって、
前記光信号をサンプルする前記サンプラーが相関ダブルサンプリングを用い、前記相関ダブルサンプリングが前記ビデオサンプラーと前記ブラックサンプラーとを用いることを含む、装置。
【請求項５】
請求項１に記載の装置であって、
ａ）前記ＡＤＣクロック信号の立ち上がりエッジが、前記ブラックサンプルクロック信号の立ち下がりエッジ後に複数のクロックサイクル生じ、
ｂ）前記ＡＤＣクロック信号の立ち下がりエッジが、前記ビデオクロック信号の立ち下がりエッジ後に複数のクロックサイクル生じる、装置。
【請求項６】
請求項５に記載の装置であって、
ｃ）前記第１のクロック信号の立ち上がりエッジが、前記ビデオクロック信号の立ち上がりエッジと整合され、
ｄ）前記第２のクロック信号の立ち下がりエッジが、前記ビデオクロック信号の立ち上がりエッジと整合される、装置。
【請求項７】
システムであって、
第１のスイッチの第１のゲートと第２のスイッチの第２のゲートと第３のスイッチの第３のゲートと第４のスイッチの第４のゲートとを有する、チャージポンプと、
光信号をサンプルするサンプラーであって、ブラックサンプラーとビデオサンプラーとアナログデジタルコンバータ（ＡＤＣ）とを含む、前記サンプラーと、
単一クロックであって、
ａ）チャージポンプロジックとｂ）サンプリングロジックとに結合される単一クロックであって、前記チャージポンプロジックが、第１のクロック信号ラインにより前記第１のゲートに結合され、第２のクロック信号ラインにより前記第２のゲートに結合され、第３のクロック信号ラインにより結合される前記第３のゲートに結合され、そして、第４のクロック信号ラインにより結合される前記第４のゲートに結合され、前記サンプリングロジックが前記サンプラーに結合される、前記単一クロックと、
を含み、
前記第１のクロック信号ラインの第１のクロック信号の立ち上がりエッジと前記第２のクロック信号ラインの第２のクロック信号の立ち下がりエッジとが各々、前記ＡＤＣに結合されるＡＤＣラインのアナログデジタルクロック信号の立ち下がりエッジと整合される、システム。
【請求項８】
請求項７に記載のシステムであって、
前記単一クロックと前記サンプリングロジックと前記サンプラーと前記チャージポンプロジックと前記チャージポンプとが、単一チップ内で統合され、共通電気的接地を共有する、システム。
【請求項９】
請求項７に記載のシステムであって、
前記チャージポンプが電圧ダブラである、システム。
【請求項１０】
請求項７に記載のシステムであって、
前記サンプラーが相関ダブルサンプリングを用い、前記相関ダブルサンプリングが前記ブラックサンプラーと前記ビデオサンプラーとを用いる、システム。
【請求項１１】
請求項７に記載のシステムであって、
前記ＡＤＣのアナログデジタル変換が、前記アナログデジタルクロック信号の立ち上がりエッジによりトリガされる、システム。
【請求項１２】
請求項７に記載のシステムであって、
前記アナログデジタルクロック信号の前記立ち上がりエッジが、ブラックサンプルクロック信号の立ち下がりエッジ後に複数のクロックサイクル生じ、
前記アナログデジタルクロック信号の前記立ち上がりエッジが、ビデオサンプルクロック信号の立ち下がりエッジ後に複数のクロックサイクル生じる、システム。
【請求項１３】
システムであって、
第１のスイッチの第１のゲートと第２のスイッチの第２のゲートと第３のスイッチの第３のゲートと第４のスイッチの第４のゲートとを有する、チャージポンプと、
光学的光センサをサンプルするためのサンプラーであって、ブラックサンプラーとビデオサンプラーとアナログデジタルコンバータ（ＡＤＣ）とを含む、前記サンプラーと、
ａ）チャージポンプロジックとｂ）前記サンプラーとｃ）前記ＡＤＣとに結合される単一クロックであって、前記チャージポンプロジックが、第１のクロック信号ラインにより前記第１のゲートに結合され、第２のクロック信号ラインにより前記第２のゲートに結合され、第３のクロック信号ラインにより結合される前記第３のゲートに結合され、第４のクロック信号ラインにより結合される前記第４のゲートに結合される、前記単一クロックと、
を含み、
前記第１のクロックラインの第１のクロック信号の立ち下がりエッジと、前記第２のクロックラインの第２のクロック信号の立ち上がりエッジとの両方が、ビデオサンプルクロック信号の立ち上がりエッジと整合される、システム。
【請求項１４】
請求項１３に記載のシステムであって、
前記単一クロックと前記チャージポンプロジックと前記チャージポンプと前記光信号をサンプルする前記サンプラーとが、単一集積チップ内で統合され、共通電気的接地を共有する、システム。
【請求項１５】
請求項１３に記載のシステムであって、
前記チャージポンプが電圧ダブラである、システム。
【請求項１６】
請求項１３に記載のシステムであって、
前記光信号をサンプルする前記サンプラーが相関ダブルサンプリングを用い、前記相関ダブルサンプリングが前記ブラックサンプラーと前記ビデオサンプラーとを用いることを含む、システム。
【請求項１７】
請求項１３に記載のシステムであって、
ａ）前記第１のクロック信号が、前記第２のクロック信号が立ち上がる前に３クロックサイクル立ち上がり、
ｂ）前記第２のクロック信号が１７クロックサイクルの間に高であり、
ｃ）前記第２のクロック信号が、前記第１のクロックトレイン信号が立ち下がる前に５クロックサイクル立ち下がり、
ｄ）前記第１のクロック信号が１７クロックサイクルの間に低であり、その後立ち上がる、システム。
【請求項１８】
請求項７に記載のシステムであって、
前記第１のクロック信号と前記第３のクロックライン上の第３のクロック信号が同じクロック信号であり、前記第３のクロック信号と前記第４のクロックライン上の第４のクロック信号が同じクロック信号である、システム。
【請求項１９】
請求項１に記載の装置であって、
上記の少なくとも幾つかが、少なくとも第１のチャージポンプ状態機械と第１のサンプリング状態機械との中に構成され、
前記サンプリングロジック内に組み込まれた第２のサンプリング状態機械が、前記ブラックサンプルクロック信号とビデオサンプルクロック信号と第２のクロック信号とを実装して発生することができる、装置。
【請求項２０】
請求項７又は１３に記載のシステムであって、
上記の少なくとも幾つかが、少なくとも第１のチャージポンプ状態機械と第１のサンプリング状態機械との中に構成され、
前記サンプリングロジック内に組み込まれた第２のサンプリング状態機械が、前記ブラックサンプルクロック信号とビデオサンプルクロック信号と第２のクロック信号とを実装して発生することができる、システム。